【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】
クリップと、
このクリップに嵌着して装着することにより該クリップを閉成する締付リングと、
この締付リング内に挿入可能で、前記クリップと係合する連結部材と、
先端にフックを有する操作ワイヤと、
を具備しており、前記連結部材が前記フックの軸方向に対して任意の周方向位置にある際に、前記連結部材もしくは前記フックの少なくとも一方が変形，復元することにより、前記連結部材と前記フックとが係合することを特徴とする生体組織のクリップ装置。
【請求項２】
クリップと、
このクリップに嵌着して装着することにより該クリップを閉成する締付リングと、
この締付リング内に挿入可能で、前記クリップと係合する連結部材と、
先端にフックを有する操作ワイヤと、
前記連結部材が前記フックの軸方向に対して任意の周方向位置にある際に、前記連結部材もしくは前記フックの少なくとも一方を変形，復元させることにより、前記連結部材と前記フックとを係合させる変形手段と、
を具備することを特徴とする生体組織のクリップ装置。
【請求項３】
前記変形手段を前記フックに設けたことを特徴とする請求項２に記載の生体組織のクリップ装置。
【請求項４】
前記変形手段を前記連結部材に設けたことを特徴とする請求項２に記載の生体組織のクリップ装置。
【請求項５】
前記変形手段を前記連結部材とフックとに設けたことを特徴とする請求項２に記載の生体組織のクリップ装置。
【請求項６】
前記フックに、閉塞習性を有する腕部と、前記連結部材の基端部を把持固定するための把持部とを設けたことを特徴とする請求項２に記載の生体組織のクリップ装置。
【請求項７】
前記連結部材に、閉塞習性を有する腕部と、前記フックの先端部を把持固定するための把持部とを設けたことを特徴とする請求項２に記載の生体組織のクリップ装置。
【請求項８】
前記フックに先端側が小径の内腔を設けると共に前記連結部材に外径が縮拡可能な基端部を設け、前記フックと連結部材とを係合固定するようにしたことを特徴とする請求項２に記載の生体組織のクリップ装置。
【請求項９】
前記連結部材に先端側が小径の内腔を設けるとともに、前記フックに外径が縮拡可能な先端部を設け、前記連結部材とフックとを係合固定可能にしたことを特徴とする請求項２に記載の生体組織のクリップ装置。
【請求項１０】
前記変形手段は弾性部材であることを特徴とする請求項２に記載の生体組織のクリップ装置。
【請求項１１】
前記クリップに更に前記連結部材が係合され、かつ前記締付リングが前記連結部材に嵌着された状態で、これらクリップ，締付リング，連結部材を封入するとともに、前記連結部材と前記フックとの係合を可能にしたクリップケースを有することを特徴とする請求項２に記載の生体組織のクリップ装置。
【手続補正２】
【補正対象書類名】明細書
【補正対象項目名】００３０
【補正方法】変更
【補正の内容】
【００３０】
【課題を解決するための手段】
この発明は、前記目的を達成するために、請求項１は、クリップと、このクリップに嵌着して装着することにより該クリップを閉成する締付リングと、この締付リング内に挿入可能で、前記クリップと係合する連結部材と、先端にフックを有する操作ワイヤと、を具備しており、前記連結部材が前記フックの軸方向に対して任意の周方向位置にある際に、前記連結部材もしくは前記フックの少なくとも一方が変形，復元することにより、前記連結部材と前記フックとが係合することを特徴とする生体組織のクリップ装置にある。
【手続補正３】
【補正対象書類名】明細書
【補正対象項目名】００３１
【補正方法】変更
【補正の内容】
【００３１】
請求項２は、クリップと、このクリップに嵌着して装着することにより該クリップを閉成する締付リングと、この締付リング内に挿入可能で、前記クリップと係合する連結部材と、先端にフックを有する操作ワイヤと、前記連結部材が前記フックの軸方向に対して任意の周方向位置にある際に、前記連結部材もしくは前記フックの少なくとも一方を変形，復元させることにより、前記連結部材と前記フックとを係合させる変形手段と、を具備することを特徴とする生体組織のクリップ装置にある。
【手続補正４】
【補正対象書類名】明細書
【補正対象項目名】００３２
【補正方法】変更
【補正の内容】
【００３２】
請求項３は、前記変形手段を前記フックに設けたことを特徴とする請求項２に記載の生体組織のクリップ装置にある。
【手続補正５】
【補正対象書類名】明細書
【補正対象項目名】００３３
【補正方法】変更
【補正の内容】
【００３３】
請求項４は、前記変形手段を前記連結部材に設けたことを特徴とする請求項２に記載の生体組織のクリップ装置にある。
【手続補正６】
【補正対象書類名】明細書
【補正対象項目名】００３４
【補正方法】変更
【補正の内容】
【００３４】
請求項５は、前記変形手段を前記連結部材とフックとに設けたことを特徴とする請求項２に記載の生体組織のクリップ装置にある。
【手続補正７】
【補正対象書類名】明細書
【補正対象項目名】００３５
【補正方法】変更
【補正の内容】
【００３５】
請求項６は、前記フックに、閉塞習性を有する腕部と、前記連結部材の基端部を把持固定するための把持部とを設けたことを特徴とする請求項２に記載の生体組織のクリップ装置にある。
【手続補正８】
【補正対象書類名】明細書
【補正対象項目名】００３６
【補正方法】変更
【補正の内容】
【００３６】
請求項７は、前記連結部材に、閉塞習性を有する腕部と、前記フックの先端部を把持固定するための把持部とを設けたことを特徴とする請求項２に記載の生体組織のクリップ装置にある。
【手続補正９】
【補正対象書類名】明細書
【補正対象項目名】００３７
【補正方法】変更
【補正の内容】
【００３７】
請求項８は、前記フックに先端側が小径の内腔を設けると共に前記連結部材に外径が縮拡可能な基端部を設け、前記フックと連結部材とを係合固定するようにしたことを特徴とする請求項２に記載の生体組織のクリップ装置にある。
【手続補正１０】
【補正対象書類名】明細書
【補正対象項目名】００３８
【補正方法】変更
【補正の内容】
【００３８】
請求項９は、前記連結部材に先端側が小径の内腔を設けるとともに、前記フックに外径が縮拡可能な先端部を設け、前記連結部材とフックとを係合固定可能にしたことを特徴とする請求項２に記載の生体組織のクリップ装置にある。
【手続補正１１】
【補正対象書類名】明細書
【補正対象項目名】００３９
【補正方法】変更
【補正の内容】
【００３９】
請求項１０は、前記変形手段は弾性部材であることを特徴とする請求項２に記載の生体組織のクリップ装置にある。
【手続補正１２】
【補正対象書類名】明細書
【補正対象項目名】００４０
【補正方法】変更
【補正の内容】
【００４０】
請求項１１は、前記クリップに更に前記連結部材が係合され、かつ前記締付リングが前記連結部材に嵌着された状態で、これらクリップ，締付リング，連結部材を封入するとともに、前記連結部材と前記フックとの係合を可能にしたクリップケースを有することを特徴とする請求項２に記載の生体組織のクリップ装置にある。
【手続補正１３】
【補正対象書類名】明細書
【補正対象項目名】００４１
【補正方法】削除
【補正の内容】
【手続補正１４】
【補正対象書類名】明細書
【補正対象項目名】０３０３
【補正方法】変更
【補正の内容】
【０３０３】
この発明によれば、本クリップ装置は、操作部材の進退操作だけで、クリップを導入管内に収納してクリップを生体腔内に挿入でき、さらに、操作部材の進退操作だけで、収納したクリップを導入管から開放すると同時に係合し、クリップを結紮することができる。このように、操作部材の進退のみでクリップ装置の取付け及び結紮操作が行えるため、簡便であるという効果がある。
さらに、この発明によれば、クリップに連結部材を係合させ、締付リングを被嵌した状態で、連結部材を操作部材に取着されたフックに周方向の位置を合わせることなく押し込むと、連結部材かフックもしくはその両方が変形、復元することにより、連結部材とフックが係合する。従って、結紮操作が簡便であるという効果がある。